(57)【要約】容易に撤去が可能なやり方で路上乗り物（１０）の側面に広告を選択的に取り付けるのに使用できる広告パネル（２０）は、プラスチック製の網状材料からなるシート（２２）と、複数のファスナー（３４、３６、３８）とを備える。前記シートは、その第１面に塗装された画像を有する。前記複数のファスナー（３４、３６、３８）は、乗り物に取り付けられた複数の対応連結ファスナー（４４、４６、４８）と噛み合うように改良された再閉可能な複数の連結ファスナーである。前記複数のファスナーは、３Ｍ（登録商標）デュアルロック（登録商標）ファスナーであってもよい。前記複数の対応ファスナーは、堅い壁（１６）または乗り物のカーテン（１４）に取り付けられていてもよい。前記網状材料は、前記パネル（２０）が輸送中にフラッピングすることなく確実に搭載され続けるようにするために前記パネルに空気を透過させることを可能にする。前記システムは、乗り物に広告パネルを載せることができるようにするために乗り物に最小限の構造上の変更を加えるだけですみ、かつ、広告パネルの容易な取り替えを可能にする。
2004537744.tif 000002
【特許請求の範囲】
【請求項１】
織られたプラスチック製の網状材料からなるシートと、複数のファスナーとを備え、前記シートは、その第１面に塗装された画像を有する、乗り物への外部装着用広告パネル。
【請求項２】
前記複数のファスナーは、乗り物に取り付けられた複数の対応連結ファスナーと噛み合うように改良された再閉可能な複数の連結ファスナーからなる、請求項１に記載の広告パネル。
【請求項３】
前記複数のファスナーは、３Ｍ（登録商標）デュアルロック（登録商標）ファスナーである、請求項２に記載の広告パネル。
【請求項４】
前記シートは、可撓性である、請求項１から３までのいずれかに記載の広告パネル。
【請求項５】
前記シートは、ＰＶＣ、ポリエステル、または、それらの複合物からなる、請求項１から４までのいずれかに記載の広告パネル。
【請求項６】
前記網状材料は、前記シートが１００Ｐａにおいて毎秒少なくとも１０００リットルの空気透過率を有する程度に空気を透過できる複数の開口を持つ、請求項１から５までのいずれかに記載の広告パネル。
【請求項７】
前記パネルは、前記シートの少なくとも１つの縁に沿って補強ストリップを備える、請求項１から６までのいずれかに記載の広告パネル。
【請求項８】
前記補強ストリップは、前記シートの前縁に取り付けられており、前記前縁は、前記パネルが乗り物に搭載されたときに乗り物の前部に最も近い縁である、請求項７に記載の広告パネル。
【請求項９】
前記シートの前縁は、その全長にわたってファスナーを備える、請求項８に記載の広告パネル。
【請求項１０】
前記補強ストリップは、前記シートのすべての縁に取り付けられている、請求項７に記載の広告パネル。
【請求項１１】
前記シートのすべての縁に沿って複数のファスナーが間隔を置いて取り付けられている、請求項１０に記載の広告パネル。
【請求項１２】
外表面に再閉可能な複数のファスナーを有する側壁を少なくとも１つと、この側壁に搭載された広告パネルとを備え、前記パネルは、プラスチック製の網状材料からなるシートと、前記側壁に取り付けられた前記複数のファスナーへの取り付けおよび該ファスナーからの取り外しが可能である再閉可能な複数のファスナーとを有し、前記シートは、その第１面に塗装された画像を有する、乗り物。
【請求項１３】
前記広告パネルは、請求項１から１１までのいずれかに記載の広告パネルである、請求項１２に記載の乗り物。
【請求項１４】
前記側壁に取り付けられている前記再閉可能な複数のファスナーは、接着剤によって前記側壁に接着されている、請求項１２または１３に記載の乗り物。
【請求項１５】
前記側壁に取り付けられている前記再閉可能な複数のファスナーは、固定手段によって前記側壁に固定されている、請求項１２または１３に記載の乗り物。
【請求項１６】
少なくとも一部がカーテンに囲まれた貨物支持体と、前記カーテンに搭載された広告パネルとを備え、前記カーテンは、その表面に再閉可能な複数のファスナーを有し、前記パネルは、プラスチック製の網状材料からなるシートと、前記カーテンに取り付けられた前記複数のファスナーへの取り付けおよび該ファスナーからの取り外しが可能である再閉可能な複数のファスナーとを有し、前記シートは、その第１面に塗装された画像を有する、乗り物。
【請求項１７】
前記広告パネルは、請求項１から１１までのいずれかに記載の広告パネルである、請求項１６に記載の乗り物。
【請求項１８】
前記カーテンに取り付けられている前記再閉可能な複数のファスナーは、接着剤によって前記カーテンに接着されている、請求項１６または１７に記載の乗り物。
【請求項１９】
前記カーテンに取り付けられている前記再閉可能な複数のファスナーは、固定手段によって前記カーテンに固定されている、請求項１６または１７に記載の乗り物。
【請求項２０】
前記カーテンに取り付けられている前記再閉可能な複数のファスナーは、加熱接合、超音波接合、縫い付けおよび塑造の中から選ばれた固定手段によって前記カーテンに固定されている、請求項１６または１７に記載の乗り物。
【請求項２１】
乗り物の少なくとも１つの壁に、再閉可能な複数のファスナーを所定パターンで固定する工程と、
前記再閉可能な複数のファスナーに広告パネルを、取り外しができるように取り付ける工程と、
を含み、前記パネルは、第１面に塗装された画像を有するプラスチック製の網状材料からなるシートと、前記乗り物の前記壁上での前記再閉可能な複数のファスナーの前記所定パターンに対応するパターンで取り付けられた再閉可能な複数のファスナーとを有する、前記乗り物の前記少なくとも１つの壁に少なくとも１つの広告パネルを表示するために乗り物を改造する方法。
【請求項２２】
前記乗り物の前記壁に取り付けられた前記再閉可能な複数のファスナーから、前記広告パネルに取り付けられた前記再閉可能な複数のファスナーを分離することによって前記広告パネルを除去する工程と、
前記再閉可能な複数のファスナーに第２広告パネルを、取り外しができるように取り付ける工程と、
をさらに含み、前記第２パネルは、第１面に塗装された画像を有するプラスチック製の網状材料からなるシートと、前記乗り物の前記壁上での前記再閉可能な複数のファスナーの前記所定パターンに対応するパターンで取り付けられた再閉可能な複数のファスナーとを有する、請求項２１に記載の方法。
【請求項２３】
前記広告パネルまたは各広告パネルは、請求項１から１１までのいずれかに記載の広告パネルである、請求項２１または２２に記載の方法。
【請求項２４】
乗り物の少なくとも１つの側面に搭載できるように改良されたカーテンに、再閉可能な複数のファスナーを所定パターンで固定する工程と、
前記再閉可能な複数のファスナーに広告パネルを、取り外しができるように取り付ける工程と、
を含み、前記パネルは、第１面に塗装された画像を有するプラスチック製の網状材料からなるシートと、前記乗り物の前記側面に搭載できるように改良された前記カーテン上での前記再閉可能な複数のファスナーの前記所定パターンに対応するパターンで取り付けられた再閉可能な複数のファスナーとを有する、前記乗り物の前記少なくとも１つの側面に少なくとも１つの広告パネルを表示するために乗り物を改造する方法。
【請求項２５】
前記乗り物の前記側面に搭載できるように改良された前記カーテンに取り付けられた前記再閉可能な複数のファスナーから、前記広告パネルに取り付けられた前記再閉可能な複数のファスナーを分離することによって前記広告パネルを除去する工程と、
前記再閉可能な複数のファスナーに第２広告パネルを、取り外しができるように取り付ける工程と、
をさらに含み、前記第２パネルは、第１面に塗装された画像を有するプラスチック製の網状材料からなるシートと、前記乗り物の前記側面に搭載できるように改良された前記カーテン上での前記再閉可能な複数のファスナーの前記所定パターンに対応するパターンで取り付けられた再閉可能な複数のファスナーとを有する、請求項２１に記載の方法。
【請求項２６】
前記広告パネルまたは各広告パネルは、請求項１から１１までのいずれかに記載の広告パネルである、請求項２４または２５に記載の方法。
【請求項２７】
乗り物の所有者が所有する少なくとも１つの乗り物を広告の搭載および表示のために改造かつ使用することについて、金銭の支払いまたは前記所有者（またはその代理人もしくは代表者）にとって金銭に相当するものの支払いを見返りとして前記所有者（またはその代理人もしくは代表者）の同意を得る工程と、
前記乗り物の側面、または、この側面に搭載できるように改良されたカーテンに、再閉可能な複数のファスナーを所定パターンで固定することによって前記少なくとも１つの乗り物を改造する工程と、
金銭または金銭相当物を見返りとして少なくとも１つの広告の搭載および表示のために前記乗り物を使用する権利を販売する工程と、
少なくとも一人の見物人に見えるように前記乗り物の一側面の少なくとも一部を広告が覆うことができるようなやり方で前記再閉可能な複数のファスナーに少なくとも１つの広告を取り付ける工程と、
を含む、移動広告の調達かつ開発のための方法。
【請求項２８】
前記広告は、請求項１から１１までのいずれかに記載の広告パネルの形で提供される、請求項２７に記載の方法。
【発明の詳細な説明】
【技術分野】
【０００１】
本発明は、移動広告に関する。より詳しくは、限定はされないが、本発明は、容易に撤去が可能なやり方で路上乗り物の側面に広告を選択的に取り付けるためのシステムと、広告を選択的に表示するために路上乗り物を改造する方法とに関する。
【背景技術】
【０００２】
現在、無地か、あるいは、最小の情報（たとえば、輸送会社名のみ等）を載せた実質的に垂直な側面を持つ貨物輸送用路上乗り物が多くある。これらの乗り物の側面は、一般公衆の面前に広範囲にわたって曝される。特に、貨物輸送用路上乗り物の行程の大部分は、歩行者、および／または、個人的路上輸送の使用者、および／または、公的路上輸送の乗客によっても広く使われている公共道路上にあるからである。したがって、貨物輸送用路上乗り物の側面は、現在、乗り物所有者のみが自己宣伝用に使う傾向のある移動広告用設備に相当する。路上乗り物の外装の或る用途として、乗り物所有者以外の組織による広告用途が知られているが、そのような広告は、現在、無生物貨物よりもむしろ人間の乗客を運ぶ公共輸送乗り物に限定されており、広告は、紙に貼り付けたものであるか、あるいは、時間のかかる乗り物の塗り直しを行うことなしに実質的に永久且つ不変な車体塗装に近いものである。
【０００３】
特許文献１および特許文献２は、貨物輸送用路上乗り物の側面に広告を取り付ける際の問題点を扱っている。しかし、それらの解決方法の効力は、広告パネルの取り付けおよび撤去を可能にするためには追加レール、積載ブラケット、ファスナーなどの形態で広範囲にわたって乗り物の構造を改造する必要があるという事実によって妨げられる。さらに、広告パネル自体は、複雑、且つ、相対的に高価である。さらに、広告パネルは、側面が堅い乗り物にしか使えない。なぜなら、広告パネルは、乗り物の枠に取り付けられた可撓性の側面カーテンを除去したり巻き上げたりできるようにすることによって荷物領域へ立ち入ることができる可撓性側面を持つ乗り物の側面カーテンへの簡単な立ち入りを妨げるからである。
【特許文献１】
米国特許第５８４５４２３号明細書
【特許文献２】
米国特許第５６５７５６６号明細書
【発明の開示】
【発明が解決しようとする課題】
【０００４】
本発明の課題は、経済的な広告パネルの使用と、乗り物に広告パネルを載せることができるようにするために乗り物に加える必要最小限の構造上の変更とを可能にする、実施が簡単で且つ費用効果があるやり方で貨物輸送用路上乗り物に移動広告を選択的に取り付けることができるようにするためのシステムおよび方法を提供することにある。
本発明の別の課題は、堅い側面を持つ路上乗り物および可撓性側面を持つ路上乗り物の両方に移動広告を選択的に取り付けることができるようにするためのシステムおよび方法を提供することにある。
【課題を解決するための手段】
【０００５】
本発明の第１の観点によれば、プラスチック製の網状材料からなるシートと、複数のファスナーとを備え、前記シートは、その第１面に塗装された画像を有する、乗り物への外部装着用広告パネルが提供される。
前記複数のファスナーは、好ましくは、乗り物に取り付けられた複数の対応連結ファスナーと噛み合うように改良された再閉可能な複数の連結ファスナーからなる。前記複数のファスナーは、好ましくは、３Ｍ（登録商標）デュアルロック（登録商標）ファスナーである。あるいは、前記複数のファスナーは、フック状ファスナーおよびループ状ファスナー、または、それらの類似物であってもよい。
【０００６】
前記シートは、好ましくは、可撓性で、且つ、織られたものである。前記シートは、好ましくは、ＰＶＣ、ポリエステル、または、それらの複合物からなる。しかしながら、適切な強度または印刷適性を有するものであれば、他の適切なプラスチック製材料を１種のみ単独で、または、複数種を組み合わせて用いてもよい。
前記網状材料は、好ましくは、空気を透過できる複数の開口を持つ。前記シートは、好ましくは、１００Ｐａにおいて毎秒少なくとも１０００リットルの空気透過率を有する。
前記パネルは、好ましくは、前記シートの少なくとも１つの縁に沿って固い補強ストリップを備える。この固い補強ストリップは、好ましくは、前記シートの前縁に取り付けられる。この前縁は、前記パネルが乗り物に搭載されたときに乗り物の前部に最も近い縁である。前記シートの前縁は、好ましくは、その全長にわたってファスナーを備える。
【０００７】
補強ストリップは、前記シートのすべての縁に取り付けてもよい。前記シートのすべての縁に沿って複数のファスナーを、間隔を置いて取り付けてもよい。
本発明の第２の観点によれば、外表面に再閉可能な複数のファスナーを有する側壁と、この側壁に搭載された広告パネルとを備え、前記パネルは、プラスチック製の網状材料からなるシートと、前記側壁に取り付けられた前記複数のファスナーへの取り付けおよび該ファスナーからの取り外しが可能である再閉可能な複数のファスナーとを有し、前記シートは、その第１面に塗装された画像を有する、乗り物が提供される。
前記広告パネルは、好ましくは、前記本発明の第１の観点に係るパネルである。
【０００８】
前記側壁に取り付けられる前記再閉可能な複数のファスナーは、好ましくは、接着剤によって前記側壁に接着される。あるいは、これらのファスナーは、ボルト、ネジ、リベットまたはそれらの類似物等の固定手段によって前記側壁に固定してもよい。
本発明の第３の観点によれば、少なくとも一部がカーテンに囲まれた貨物支持体と、前記カーテンに搭載された広告パネルとを備え、前記カーテンは、その表面に再閉可能な複数のファスナーを有し、前記パネルは、プラスチック製の網状材料からなるシートと、前記カーテンに取り付けられた前記複数のファスナーへの取り付けおよび該ファスナーからの取り外しが可能である再閉可能な複数のファスナーとを有し、前記シートは、その第１面に塗装された画像を有する、乗り物が提供される。
【０００９】
前記広告パネルは、好ましくは、前記本発明の第１の観点に係るパネルである。
前記カーテンに取り付けられる前記再閉可能な複数のファスナーは、好ましくは、接着剤によって前記カーテンに接着される。あるいは、これらのファスナーは、ボルト、ネジ、リベット、Ｕ字釘またはそれらの類似物等の固定手段によって前記カーテンに固定してもよいし、あるいは、加熱接合、超音波接合、縫い付け、塑造またはそれらの類似手段等によって前記カーテンに固定してもよい。
本発明の第４の観点によれば、
乗り物の少なくとも１つの側面、または、この側面に搭載できるように改良されたカーテンに、再閉可能な複数のファスナーを所定パターンで固定する工程と、
前記再閉可能な複数のファスナーに広告パネルを、取り外しができるように取り付ける工程と、
を含み、前記パネルは、第１面に塗装された画像を有するプラスチック製の網状材料からなるシートと、前記乗り物の前記側面上、または、この側面に搭載できるように改良された前記カーテン上での前記再閉可能な複数のファスナーの前記所定パターンに対応するパターンで取り付けられた再閉可能な複数のファスナーとを有する、前記乗り物の前記少なくとも１つの側面に少なくとも１つの広告パネルを表示するために乗り物を改造する方法が提供される。
【００１０】
この方法は、好ましくは、
前記乗り物の前記側面、または、この側面に搭載できるように改良された前記カーテンに取り付けられた前記再閉可能な複数のファスナーから、前記広告パネルに取り付けられた前記再閉可能な複数のファスナーを分離することによって前記広告パネルを除去する工程と、
前記再閉可能な複数のファスナーに第２広告パネルを、取り外しができるように取り付ける工程と、
をさらに含み、前記第２パネルは、第１面に塗装された画像を有するプラスチック製の網状材料からなるシートと、前記乗り物の前記側面上、または、この側面に搭載できるように改良された前記カーテン上での前記再閉可能な複数のファスナーの前記所定パターンに対応するパターンで取り付けられた再閉可能な複数のファスナーとを有する。
【００１１】
前記広告パネルまたは各広告パネルは、好ましくは、前記本発明の第１の観点に係るパネルである。
本発明の第５の観点によれば、
乗り物の所有者が所有する少なくとも１つの乗り物を広告の搭載および表示のために改造かつ使用することについて、金銭の支払いまたは前記所有者（またはその代理人もしくは代表者）にとって金銭に相当するものの支払いを見返りとして前記所有者（またはその代理人もしくは代表者）の同意を得る工程と、
前記乗り物の側面、または、この側面に搭載できるように改良されたカーテンに、再閉可能な複数のファスナーを所定パターンで固定することによって前記少なくとも１つの乗り物を改造する工程と、
金銭または金銭相当物を見返りとして少なくとも１つの広告の搭載および表示のために前記乗り物を使用する権利を販売する工程と、
少なくとも一人の見物人に見えるように前記乗り物の一側面の少なくとも一部を広告が覆うことができるようなやり方で前記再閉可能な複数のファスナーに少なくとも１つの広告を取り付ける工程と、
を含む、移動広告の調達かつ開発のための事業方法が提供される。
【００１２】
前記広告は、好ましくは、前記本発明の第１の観点に係る広告パネルの形で提供される。
本明細書中に用いられている「乗り物」という用語は、広告を載せるのに適した実質的に垂直な側面を持つ路上乗り物を意味する。ここで、前記側面は、永久に固定された側面に限定されるわけではなくて、乗り物に積まれた貨物に接近できるように取り外したり蝶番を取り付けたりすることができる一つ以上のパネルとして形成された側面と、カーテン状側面（すなわち、上端が乗り物からぶら下げられ、下端が乗り物にクリップで留められたり紐で結びつけられたりする、多かれ少なかれ可撓性のシート材料でできたカーテン）をも含む。
【００１３】
本明細書中に用いられている「広告」という用語は、見る人に対して主にまたは完全に視覚的な印象を与える本質的に二次元の少なくとも１つの画像を意味する。
【発明を実施するための最良の形態】
【００１４】
以下、図面を参照しながら実施例のみによって本発明を具体的に説明する。
図１は、各長さ方向の側面がカーテン１４で覆われた荷物領域１２を持つトラック１０を示す。前記カーテン１４は、その上端が乗り物に固定されており、該カーテンの下端を乗り物に結び付ける複数の緊張紐１８による通常の方法で緊張されている。前記カーテン１４および紐１８は、当該技術分野でよく知られており、任意の適当な可撓性材料からなるものであってもよい。典型的には、前記カーテン１４は強化ＰＶＣからなり、一方、前記紐１８はナイロン製の帯紐からなる。
前記カーテン１８の表面は、該表面に接着剤４２で接着された複数のファスナー４４、４６、４８を有する。しかしながら、前記カーテンに前記複数のファスナーを固定するには、ボルト、ネジ、リベット、Ｕ字釘またはそれらの類似物等の固定手段を含む他の適当な手段を用いてもよいことは理解されるべきである。あるいは、前記複数のファスナーは、加熱接合、超音波接合、縫い付け、塑造またはそれらの類似手段等によって前記カーテンに固定してもよい。前記複数のファスナー４４、４６、４８は、３Ｍ（登録商標）デュアルロック（登録商標）ファスナー等の再閉可能なファスナー製品の構成要素である。前記複数のファスナー４４、４６、４８は、図５に示すように、広告パネル２０に取り付けられた複数の対応ファスナー３４、３６、３８と噛み合うように選択かつ配置される。
【００１５】
図２は、各長さ方向の側面が堅い壁１６で覆われた荷物領域１２を持つトラック１０を示す。前記堅い壁１６上での複数のファスナー４４、４６、４８の配置は、図１のカーテン１４に関して上述したものと同様である。前記壁１６の表面は、該表面に接着剤４２で接着された複数のファスナー４４、４６、４８を有する。しかしながら、前記壁に前記複数のファスナーを固定するには、ボルト、ネジ、リベット、Ｕ字釘またはそれらの類似物等の固定手段を含む他の適当な手段を用いてもよいことは理解されるべきである。
図３は、前記カーテン上に前記複数のファスナー４４、４６、４８を用い、かつ、広告パネル２０上に前記複数のファスナー３４、３６、３８を用いて前記カーテン１４に前記広告パネル２０を固定した状態にある前記図１のカーテン状側面を持つトラック１０を示す。前記パネル２０は、前記カーテン上で前記複数のファスナー４４、４６、４８の位置に揃えられた後、適所に押し付けられる。操作員は、聞き取り可能なパチンという音から、前記複数のファスナーが噛み合うことを知る。
【００１６】
図４は、図３に関して上述した方法で前記壁１６に広告パネル２０を固定した状態にある前記図２の堅い側面を持つトラック１０を示す。
乗り物１０から前記パネル２０を除去するには、前記パネル２０の下部後方の隅３０に隣接する前記パネル２０の未固定端部を引っ張ることによって前記隅３０で前記ファスナー３８と４８とを互いに分離する必要がある。前記ファスナー３８と４８との分離を容易にするために前記隅３０にタグ（図示せず）を取り付けてもよい。しかしながら、これが必須であるわけではない。タグを取り付ける場合、このタグをロックし、かつ、前記乗り物１０からの前記パネル２０の不慮の脱落を防止するために、小さい留め金や南京錠等のロッキング手段も取り付けてもよい。前記パネル２０は可撓性のシート材料からなるので、残りのファスナーは、その後、剥離作用によって容易に分離することができる。
【００１７】
以下、図５および６を参照しながら前記広告パネル２０の構成を説明する。該パネルは、プラスチック製の網状材料からなるシート２２を有する。前記網状材料は、典型的には、ＰＶＣで被覆されたポリエステル基材織布からなる。前記基材織布は、縦糸および横糸の両方向において１ｃｍ当たり３〜１０本（好ましくは５本）の糸を有していてもよい。両面に可撓性の可塑化ＰＶＣを塗布して１００〜８００ｇ／ｍ２、好ましくは約２００〜約５５０ｇ／ｍ２の重量を持つ材料を製造し、これにより、縦糸方向および横糸方向の繊維がそれらの交差点で互いに結合されるようにする。
前記網状材料中の開口は、１００Ｐａにおいて、１０００〜６０００リットル／秒、好ましくは約２８００リットル／秒の空気透過率を可能にする。適切な網状材料は、ＶＵＦＬＥＸ  Ｄｉｇｉｔａｌ社がＶＵＦＬＥＸ  Ｄｉｇｉｔａｌ  ５５０の商品名で販売しているものである。しかしながら、任意の適当なプラスチック製網状材料を用いてもよいことは理解されるべきである。前記空気透過率は、支持表面が乗り物の固い壁であろうとカーテンであろうと、前記パネルが前記支持表面に対して平坦なままであることを確実にする。前記パネルのどちら側においても空気圧は均一にされる。これにより、前記パネルが前記支持表面にぱたぱたと当たるフラッピングが防止される。
【００１８】
前記網状材料は、広告画像を一側面に付けるためには印刷可能なものでなければならない。レーザー印刷、スクリーン印刷等の任意の適当な印刷方法を用いてよい。前記開口は、固い表面に搭載され且つ距離をおいて見られた時に広告パネルの効果が不透明パネルのものとなるように十分小さいものでなければならない。特定の実施態様では、前記可塑化された縦および横繊維は約１ｍｍの幅を有し、一方、前記開口は約１ｍｍ四方である。不透明効果は、前記開口が前記パネルの面積の約２５％以下を占める場合に生じる。前記開口が前記パネルの面積の約３５％超を占める場合は、前記不透明性効果が減少する。
強化ＰＶＣまたはそれに類似する材料からなる複数の補強ストリップ２４、２６、２８は、前記広告パネル２０が使用時に破れたり伸びたりするのを防ぐために前記網状シート２２の縁に接着される。前記複数の補強ストリップは、接着剤または超音波溶接によって接着されてもよい。前記複数のストリップは、前記網状シート２２への接合を容易にするためにＰＶＣで被覆されたポリエステル製スクリムからなるものであってもよい。前記複数のストリップの厚みは、前記複数のストリップ２４、２６、２８が取り付けられた状態でも、前記シート２２を選択された印刷方法で処理することができるように選択される。前記複数の補強ストリップ２４、２６、２８は、典型的には、５〜１５ｃｍの幅であり、前記シート２２の周囲に沿って伸びている。
【００１９】
複数のファスナー３４、３６、３８は、接着剤３２により、前記複数の補強ストリップ２４、２６、２８に接着される。しかしながら、前記複数のストリップに前記複数のファスナーを固定するには、加熱接合、超音波接合、縫い付け、塑造またはそれらの類似手段を含む他の適当な手段を用いてもよいことは理解されるべきである。前記複数のファスナー３４、３６、３８は、３Ｍ（登録商標）デュアルロック（登録商標）ファスナー等の再閉可能なファスナー製品の構成要素である。このファスナー製品は、その後部面に粘着剤と、剥離背面シートとを備える。前記複数のファスナー３４、３６、３８は、前記乗り物に取り付けられた前記複数の対応ファスナー４４、４６、４８のマッシュルーム形状の茎状部の連結作用によって、前記複数の対応ファスナー４４、４６、４８と噛み合うように配置される。
【００２０】
前記広告パネル２０の前記補強ストリップ２４に接着された前縁に沿ってその全長にわたって伸びた連続ファスナー３４を備えることが有利であることが見出された。前記前縁は、使用時に前記乗り物の前部に最も近い縁である。前記乗り物１０上で対応する連続ファスナー４４と噛み合う連続ファスナー３４の使用は、前記パネル２０の前縁が任意の点で前記乗り物から持ち上がって離れるのを防ぐとともに、フラッピングなしに前記壁１６またはカーテン１４に前記パネル２０を保持するのを助ける。
前記広告パネル２０の他の縁には複数の連続ファスナーを取り付ける必要はないことがさらに見出された。実際に、好ましい解決法は、残りの垂直な補強ストリップ２６と上部および下部の補強ストリップ２８とに沿って、２０〜８０ｃｍ、好ましくは約３０ｃｍの間隔で、長さが３〜１０ｃｍ、好ましくは約４〜約５ｃｍ、かつ、幅が３〜１０ｃｍ、好ましくは約４〜約５ｃｍの複数の不連続ファスナー３６、３８を取り付けることである。前記網状シート２２中の多孔は、前記乗り物１０がスピードを出して走っているときに前記網状シート２２の両側にかかる圧力を均一にすることができる。そのため、前記広告パネルのうなりやフラッピングを引き起こす空気圧差がなくなる。前記複数の不連続ファスナー３６、３８は、前記乗り物１０上で対応する複数の不連続ファスナー４６、４８と噛み合うとともに、前記乗り物１０の前記壁１６またはカーテン１４に対して前記広告パネル２０を平坦に保持する役目をする。
【００２１】
複数のファスナーの特定配置は、複数の乗り物１０の特定モデルおよびそれらの対応広告パネル２０のために提供される。たとえば、トランジット（登録商標）バンであれば、特定サイズの広告パネル２０を搭載するかもしれない。これらのバンのパネルは、特定パターンの複数のファスナーを搭載するであろう。トランジット（登録商標）バン上の複数の対応ファスナーは、特定のトランジット（登録商標）ステンシルを用いて対応パターンで前記バンの前記側壁１６に固定されるであろう。同様に、特定種類のトレーラーであれば、特定のより大きいサイズの広告パネル２０を搭載するかもしれない。これらのトレーラーのパネルは、異なる特定パターンの複数のファスナーを搭載するであろう。前記トレーラー上の複数の対応ファスナーは、特定のトレーラーステンシルを用いて対応パターンで前記トレーラーの前記カーテン１４または側壁１６に固定されるであろう。
【００２２】
３Ｍ（登録商標）デュアルロック（登録商標）ファスナーの代わりに他のファスナー、たとえば、フック状ファスナーおよびループ状ファスナー、または、ベルクロ（登録商標）ファスナーを用いてもよいし、あるいは、多目的使用および再使用を可能にするとともに、前記乗り物が高速で走っているときに前記広告パネル上で発生する空気力学上のせん断力に抵抗するのに十分な強度を与える任意の他のファスナーを用いてもよいことは理解されるべきである。
実際には、左側用の広告パネル２０および右側用の広告パネル２０が製造されるであろう。前記パネルの前縁は、図１中で見える前記カーテン１４に前記パネルが搭載されるときには前記パネル２０の右側の辺になり、一方、前記乗り物の図１中では見えない側面上の反対側カーテンに前記パネルが搭載されるときには前記パネル２０の左側の辺になるので、乗り物の両側面に搭載するためには、前記各パネル２０は、それぞれ、左側または右側の縁に前記連続ファスナー３４を有する。
【００２３】
以下に、本発明の広告パネルを活用する事業方法の一例を説明する。屋根および複数のカーテン状側面１４を持つトラック１０の形態の貨物輸送用路上乗り物が、広告代理店から乗り物の所有者への協定した支払いを見返りとして、移動広告のために乗り物を改造かつ利用するために、広告代理店と乗り物の所有者との間の契約上の協定の題目とされる。前記協定の結果、前記乗り物は、各カーテン上に所定パターンで複数のファスナー４４、４６、４８を取り付けることによって改造される。前記広告代理店の顧客によって広告が委託され、上述の複数の広告パネル２０の形で準備でされる。適切なサイズとしては、高さが前記カーテン状側面の高さよりわずかに低い高さであり、長さが前記トレーラーの長さ、または、乗り物の長さの半分もしくは４分の１等の多少大きな分数である。特定の種類および型式の乗り物およびトレーラーは、関連した好ましいサイズの広告パネルを持っていてもよい。側面にスライドドアを持つ乗り物であれば、堅い壁に取り付けられた１つの部分と前記スライドドアに取り付けられた１つの部分との２つの部分に据え付けられた複数の広告パネルを有するかもしれない。
【００２４】
前記広告は、特定期間、たとえば、８週間、委託される。この期間の開始時に、前記広告代理店は、広告を表示すべき乗り物の片側面または両側面に複数の広告パネルを貼り付ける。前記８週間の期間の間、前記乗り物は、商用時に積み荷を配達しながら公共道路を運転される。前記広告は、乗り物が公共道路上にある間はずっと見物人に対して表示される。
積み荷を配達するとき、前記可撓性の広告パネル２０を前記カーテン１４に固定したままで前記積み荷への接近を可能にするために、前記複数の紐１８をほどき、前記カーテン１４を巻き上げることができる。
【００２５】
前記８週間の期間満了時には、前記広告パネル２０は、前記広告代理店とその顧客の一人との間の別の委託協定の題目となる新しい広告パネルと取り替えることができる。前記広告の実際の物理的取り替えには、たとえば前記古い広告を剥がして取り外すとともに前記新しい広告を適所に取り付ける前記乗り物の停車場または燃料補給所等で、前記乗り物の側面に直接接近するのに数分しかかからない。
上述の実施態様は、本発明の範囲から逸脱しない範囲で、種々の部分的調節および変更が可能である。
【図面の簡単な説明】
【００２６】
【図１】本発明の広告パネルの取り付けを可能にする複数のファスナーを備えたカーテン状側面を持つトラックを示す。
【図２】本発明の広告パネルの取り付けを可能にする複数のファスナーを備えた堅い側面を持つトラックを示す。
【図３】広告パネルを取り付けた状態にある前記図１のトラックを示す。
【図４】広告パネルを取り付けた状態にある前記図２のトラックを示す。
【図５】本発明の広告パネルを示す。
【図６】前記図３におけるＶＩ−ＶＩ線に沿った部分断面図である。
【国際公開パンフレット】
2004537744.tif 000003
2004537744.tif 000004
2004537744.tif 000005
2004537744.tif 000006
2004537744.tif 000007
2004537744.tif 000008
2004537744.tif 000009
2004537744.tif 000010
2004537744.tif 000011
2004537744.tif 000012
2004537744.tif 000013
2004537744.tif 000014
2004537744.tif 000015
2004537744.tif 000016
2004537744.tif 000017
2004537744.tif 000018
2004537744.tif 000019
2004537744.tif 000020
2004537744.tif 000021
2004537744.tif 000022
2004537744.tif 000023
2004537744.tif 000024
2004537744.tif 000025
2004537744.tif 000026
2004537744.tif 000027
2004537744.tif 000028
2004537744.tif 000029
2004537744.tif 000030
【国際公開パンフレット（コレクトバージョン）】
2004537744.tif 000031
2004537744.tif 000032
2004537744.tif 000033
2004537744.tif 000034
2004537744.tif 000035
2004537744.tif 000036
2004537744.tif 000037
2004537744.tif 000038
2004537744.tif 000039
2004537744.tif 000040
2004537744.tif 000041
2004537744.tif 000042
2004537744.tif 000043
2004537744.tif 000044
2004537744.tif 000045
2004537744.tif 000046
2004537744.tif 000047
2004537744.tif 000048
2004537744.tif 000049
2004537744.tif 000050
2004537744.tif 000051
2004537744.tif 000052
2004537744.tif 000053
2004537744.tif 000054
2004537744.tif 000055
2004537744.tif 000056
2004537744.tif 000057
2004537744.tif 000058
2004537744.tif 000059
【国際公開パンフレット（コレクトバージョン）】
2004537744.tif 000060
2004537744.tif 000061
【手続補正書】
【提出日】平成15年6月18日(2003.6.18)
【手続補正１】
【補正対象書類名】特許請求の範囲
【補正対象項目名】全文
【補正方法】変更
【補正の内容】
【特許請求の範囲】
【請求項１】
織られたプラスチック製の網状材料からなるシートと、複数のファスナーとを備え、前記シートは、その第１面に塗装された画像を有する、乗り物への外部装着用広告パネル。
【請求項２】
前記複数のファスナーは、乗り物に取り付けられた複数の対応連結ファスナーと噛み合うように改良された再閉可能な複数の連結ファスナーからなる、請求項１に記載の広告パネル。
【請求項３】
前記複数のファスナーは、３Ｍ（登録商標）デュアルロック（登録商標）ファスナーである、請求項２に記載の広告パネル。
【請求項４】
前記シートは、可撓性である、請求項１から３までのいずれかに記載の広告パネル。
【請求項５】
前記シートは、ＰＶＣ、ポリエステル、または、それらの複合物からなる、請求項１から４までのいずれかに記載の広告パネル。
【請求項６】
前記網状材料は、前記シートが１００Ｐａにおいて毎秒少なくとも１０００リットルの空気透過率を有する程度に空気を透過できる複数の開口を持つ、請求項１から５までのいずれかに記載の広告パネル。
【請求項７】
前記パネルは、前記シートの少なくとも１つの縁に沿って補強ストリップを備える、請求項１から６までのいずれかに記載の広告パネル。
【請求項８】
前記補強ストリップは、前記シートの前縁に取り付けられており、前記前縁は、前記パネルが乗り物に搭載されたときに乗り物の前部に最も近い縁である、請求項７に記載の広告パネル。
【請求項９】
前記シートの前縁は、その全長にわたってファスナーを備える、請求項８に記載の広告パネル。
【請求項１０】
前記補強ストリップは、前記シートのすべての縁に取り付けられている、請求項７に記載の広告パネル。
【請求項１１】
前記シートのすべての縁に沿って複数のファスナーが間隔を置いて取り付けられている、請求項１０に記載の広告パネル。
【請求項１２】
外表面に再閉可能な複数のファスナーを有する側壁を少なくとも１つと、この側壁に搭載された請求項１から１１までのいずれかに記載の広告パネルとを備え、前記パネルの前記再閉可能な複数のファスナーは、前記側壁に取り付けられた前記複数のファスナーへの取り付けおよび該ファスナーからの取り外しが可能である、乗り物。
【請求項１３】
前記側壁に取り付けられている前記再閉可能な複数のファスナーは、接着剤によって前記側壁に接着されている、請求項１２に記載の乗り物。
【請求項１４】
前記側壁に取り付けられている前記再閉可能な複数のファスナーは、固定手段によって前記側壁に固定されている、請求項１２に記載の乗り物。
【請求項１５】
少なくとも一部がカーテンに囲まれた貨物支持体と、前記側壁に搭載された請求項１から１１までのいずれかに記載の広告パネルとを備え、前記カーテンは、その表面に再閉可能な複数のファスナーを有し、前記パネルの前記再閉可能な複数のファスナーは、前記カーテンに取り付けられた前記複数のファスナーへの取り付けおよび該ファスナーからの取り外しが可能である、乗り物。
【請求項１６】
前記カーテンに取り付けられている前記再閉可能な複数のファスナーは、接着剤によって前記カーテンに接着されている、請求項１５に記載の乗り物。
【請求項１７】
前記カーテンに取り付けられている前記再閉可能な複数のファスナーは、固定手段によって前記カーテンに固定されている、請求項１５に記載の乗り物。
【請求項１８】
前記カーテンに取り付けられている前記再閉可能な複数のファスナーは、加熱接合、超音波接合、縫い付けおよび塑造の中から選ばれた固定手段によって前記カーテンに固定されている、請求項１５に記載の乗り物。
【請求項１９】
乗り物の少なくとも１つの壁に、再閉可能な複数のファスナーを所定パターンで固定する工程と、
前記再閉可能な複数のファスナーに広告パネルを、取り外しができるように取り付ける工程と、
を含み、前記パネルは、第１面に塗装された画像を有するプラスチック製の網状材料からなるシートと、前記乗り物の前記壁上での前記再閉可能な複数のファスナーの前記所定パターンに対応するパターンで取り付けられた再閉可能な複数のファスナーとを有する、前記乗り物の前記少なくとも１つの壁に少なくとも１つの広告パネルを表示するために乗り物を改造する方法。
【請求項２０】
前記乗り物の前記壁に取り付けられた前記再閉可能な複数のファスナーから、前記広告パネルに取り付けられた前記再閉可能な複数のファスナーを分離することによって前記広告パネルを除去する工程と、
前記再閉可能な複数のファスナーに第２広告パネルを、取り外しができるように取り付ける工程と、
をさらに含み、前記第２パネルは、第１面に塗装された画像を有するプラスチック製の網状材料からなるシートと、前記乗り物の前記壁上での前記再閉可能な複数のファスナーの前記所定パターンに対応するパターンで取り付けられた再閉可能な複数のファスナーとを有する、請求項１９に記載の方法。
【請求項２１】
前記広告パネルまたは各広告パネルは、請求項１から１１までのいずれかに記載の広告パネルである、請求項１９または２０に記載の方法。
【請求項２２】
乗り物の少なくとも１つの側面に搭載できるように改良されたカーテンに、再閉可能な複数のファスナーを所定パターンで固定する工程と、
前記再閉可能な複数のファスナーに広告パネルを、取り外しができるように取り付ける工程と、
を含み、前記パネルは、第１面に塗装された画像を有するプラスチック製の網状材料からなるシートと、前記乗り物の前記側面に搭載できるように改良された前記カーテン上での前記再閉可能な複数のファスナーの前記所定パターンに対応するパターンで取り付けられた再閉可能な複数のファスナーとを有する、前記乗り物の前記少なくとも１つの側面に少なくとも１つの広告パネルを表示するために乗り物を改造する方法。
【請求項２３】
前記乗り物の前記側面に搭載できるように改良された前記カーテンに取り付けられた前記再閉可能な複数のファスナーから、前記広告パネルに取り付けられた前記再閉可能な複数のファスナーを分離することによって前記広告パネルを除去する工程と、
前記再閉可能な複数のファスナーに第２広告パネルを、取り外しができるように取り付ける工程と、
をさらに含み、前記第２パネルは、第１面に塗装された画像を有するプラスチック製の網状材料からなるシートと、前記乗り物の前記側面に搭載できるように改良された前記カーテン上での前記再閉可能な複数のファスナーの前記所定パターンに対応するパターンで取り付けられた再閉可能な複数のファスナーとを有する、請求項２２に記載の方法。
【請求項２４】
前記広告パネルまたは各広告パネルは、請求項１から１１までのいずれかに記載の広告パネルである、請求項２２または２３に記載の方法。
【請求項２５】
乗り物の所有者が所有する少なくとも１つの乗り物を広告の搭載および表示のために改造かつ使用することについて、金銭の支払いまたは前記所有者（またはその代理人もしくは代表者）にとって金銭に相当するものの支払いを見返りとして前記所有者（またはその代理人もしくは代表者）の同意を得る工程と、
前記乗り物の側面、または、この側面に搭載できるように改良されたカーテンに、再閉可能な複数のファスナーを所定パターンで固定することによって前記少なくとも１つの乗り物を改造する工程と、
金銭または金銭相当物を見返りとして少なくとも１つの広告の搭載および表示のために前記乗り物を使用する権利を販売する工程と、
少なくとも一人の見物人に見えるように前記乗り物の一側面の少なくとも一部を広告が覆うことができるようなやり方で前記再閉可能な複数のファスナーに請求項１から１１までのいずれかに記載の広告パネルを少なくとも１つ取り付ける工程と、
を含む、移動広告の調達かつ開発のための方法。
【国際調査報告】
2004537744.tif 000062
2004537744.tif 000063
2004537744.tif 000064